【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
コピージョブを実行する画像形成装置であって、
原稿上の画像を読み取る読取手段と、
前記読取手段により原稿を読み取って得られた画像データを記憶する第１の記憶手段と、
前記第１の記憶手段に記憶された前記画像データを圧縮する圧縮手段と、
前記圧縮手段により圧縮された前記画像データを記憶する第２の記憶手段と、
第１の記憶手段に記憶された前記画像データまたは、第２の記憶手段に記憶された前記圧縮手段により圧縮された前記画像データを用いて画像を用紙に印刷する印刷手段と、
前記印刷手段により印刷する部数の設定を受け付ける受付手段と、を有し、
前記印刷手段は、前記受付手段により複数部数の印刷が指示されたコピージョブの１部目の印刷を前記第１の記憶手段に記憶された前記画像データを用いて行い、２部目以降の印刷を前記第２の記憶手段に記憶された前記圧縮手段により圧縮された前記画像データを用いて行うことを特徴とする画像形成装置。
【請求項２】
前記読取手段は、前記第１の記憶手段に記憶された前記画像データを用いた画像の印刷中に、次の原稿の読み取りを開始することを特徴とする請求項１に記載の画像形成装置。
【請求項３】
前記第１の記憶手段は、前記受付手段を介して１部印刷することが指示されたコピージョブについて、前記画像データを前記圧縮手段により第１の圧縮率で圧縮した前記画像データを記憶し、前記受付手段を介して複数部数の印刷が指示されたコピージョブについて、前記画像データを前記圧縮手段により第１の圧縮率よりも高い第２の圧縮率で圧縮した前記画像データを記憶することを特徴とする請求項１または２に記載の画像形成装置。
【請求項４】
前記第１の記憶手段は、前記第１の圧縮率で圧縮された前記画像データを記憶し、
前記第２の記憶手段は、前記第２の圧縮率で圧縮された前記画像データを記憶することを特徴とする請求項３に記載の画像形成装置。
【請求項５】
前記第１の記憶手段は、非圧縮の前記画像データを記憶し、前記第２の記憶手段は、前記第１の記憶手段に記憶された非圧縮の前記画像データを前記圧縮手段により圧縮した前記画像データを記憶することを特徴とする請求項１または２に記載の画像形成装置。
【請求項６】
原稿を読み取る読取手段と、
前記読取手段により原稿を読み取って、生成された画像データを記憶する記憶手段と、
前記記憶手段に記憶された前記画像データを用いて画像を印刷する印刷手段と、
前記印刷手段により印刷を実行する部数の設定を受け付ける受付手段と、を有する画像形成装置において、
前記読取手段により原稿を読み取って得られた前記画像データを圧縮する圧縮手段と、
前記受付手段を介して１部の印刷が指示された前記画像データを前記圧縮手段により第１の圧縮率で圧縮して、前記記憶手段に記憶させ、前記受付手段を介して複数部の印刷が指示された前記画像データを前記圧縮手段により第１の圧縮率より高い第２の圧縮率で圧縮して、前記記憶手段に記憶させる制御手段と、を有することを特徴とする画像形成装置。
【請求項７】
前記読取手段は、前記記憶手段に記憶された前記画像データを用いた画像の印刷中に、次の原稿の読み取りを開始することを特徴とする請求項６に記載の画像形成装置。
【請求項８】
コピージョブを実行する画像形成装置の制御方法であって、
原稿上の画像を読み取る読取工程と、
前記読取工程において読み取られた画像データを第１の記憶手段に記憶する第１の記憶工程と、
前記第１の記憶手段に記憶された前記画像データを圧縮する圧縮工程と、
前記圧縮工程において圧縮された前記画像データを第２の記憶手段に記憶する第２の記憶工程と、
第１の記憶手段に記憶された前記画像データまたは、第２の記憶手段に記憶された前記画像データを用いて画像を用紙に印刷する印刷工程と、
前記印刷工程における印刷部数の設定を受け付ける受付工程と、を有し、
前記印刷工程は、前記受付工程において複数部数の印刷指示がなされたコピージョブの１部目の印刷を前記第１の記憶手段に記憶された前記画像データを用いて行い、２部目以降を前記第２の記憶手段に記憶された前記画像データを用いて行うことを特徴とする画像形成装置の制御方法。
【請求項９】
原稿を読み取る読取工程と、
前記読取工程において原稿を読み取って、生成された画像データを記憶手段に記憶する記憶工程と、
前記記憶手段に記憶された前記画像データを用いて画像を印刷する印刷工程と、
前記印刷工程において印刷を実行する部数の設定を受け付ける受付工程と、を有する画像形成装置の制御方法において、
前記読取工程において読み取られた画像を圧縮する圧縮工程と、
前記受付工程において１部の印刷が指示された前記画像データを前記圧縮工程において第１の圧縮率で圧縮して、前記記憶手段に記憶させ、前記受付工程において複数部の印刷が指示された前記画像データを前記圧縮工程において第１の圧縮率より高い第２の圧縮率で圧縮し、前記記憶手段に記憶させることを特徴とする画像形成装置の制御方法。
【請求項１０】
請求項８および請求項９に記載の画像形成装置の制御方法を実行するためのコンピュータプログラム。
【手続補正２】
【補正対象書類名】明細書
【補正対象項目名】０００７
【補正方法】変更
【補正の内容】
【０００７】
上述したスキャナ機能とプリンタ機能とを備える画像形成装置において、設定されているコピーの部数が複数である場合は、１部目の印刷時に原稿を読み取って得られる画像データを圧縮することなく、読み出して印刷することでＦＣＯＴを短縮することができる。
一方、２部目以降の印刷時には、原稿を読み取って得られた画像データを圧縮することで、画像データを記憶部に書き込みする時間を減らすことができる。
【手続補正３】
【補正対象書類名】明細書
【補正対象項目名】０００８
【補正方法】変更
【補正の内容】
【０００８】
しかしながら、印刷する部数に応じて、原稿の画像を読み取って得られた画像データを圧縮して、当該圧縮された画像データを用いて画像を印刷するか、圧縮されていない画像データを用いて画像を印刷するかを切り替えることができなかった。
【手続補正４】
【補正対象書類名】明細書
【補正対象項目名】０００９
【補正方法】変更
【補正の内容】
【０００９】
本発明は、上記の課題に鑑みてなされたものである。コピージョブを実行する画像形成装置において、１部目の印刷か否かに応じて、圧縮された画像データを用いて画像の印刷を実行するか、圧縮されていない画像データを用いて画像の印刷を実行するかを切り替えることを目的とする。また、コピージョブを実行する画像形成装置において、１部目の印刷か否かに応じて、印刷に用いられる画像データの圧縮率を切り替えることを目的とする。
【手続補正５】
【補正対象書類名】明細書
【補正対象項目名】００１０
【補正方法】変更
【補正の内容】
【００１０】
上記目的を達成する本発明の画像形成装置は以下に示す構成を備える。
コピージョブを実行する画像形成装置であって、原稿上の画像を読み取る読取手段と、前記読取手段により原稿を読み取って得られた画像データを記憶する第１の記憶手段と、前記第１の記憶手段に記憶された前記画像データを圧縮する圧縮手段と、前記圧縮手段により圧縮された前記画像データを記憶する第２の記憶手段と、第１の記憶手段に記憶された前記画像データまたは、第２の記憶手段に記憶された前記圧縮手段により圧縮された前記画像データを用いて画像を用紙に印刷する印刷手段と、前記印刷手段により印刷する部数の設定を受け付ける受付手段と、を有し、前記印刷手段は、前記受付手段により複数部数の印刷が指示されたコピージョブの１部目の印刷を前記第１の記憶手段に記憶された前記画像データを用いて行い、２部目以降の印刷を前記第２の記憶手段に記憶された前記圧縮手段により圧縮された前記画像データを用いて行うことを特徴とする。
また、上記目的を達成する本発明の画像形成装置は以下に示す構成を備える。
原稿を読み取る読取手段と、前記読取手段により原稿を読み取って、生成された画像データを記憶する記憶手段と、前記記憶手段に記憶された前記画像データを用いて画像を印刷する印刷手段と、前記印刷手段により印刷を実行する部数の設定を受け付ける受付手段と、を有する画像形成装置において、前記読取手段により原稿を読み取って得られた前記画像データを圧縮する圧縮手段と、前記受付手段を介して１部の印刷が指示された前記画像データを前記圧縮手段により第１の圧縮率で圧縮して、前記記憶手段に記憶させ、前記受付手段を介して複数部の印刷が指示された前記画像データを前記圧縮手段により第１の圧縮率より高い第２の圧縮率で圧縮して、前記記憶手段に記憶させる制御手段と、を有することを特徴とする。
【手続補正６】
【補正対象書類名】明細書
【補正対象項目名】００１１
【補正方法】変更
【補正の内容】
【００１１】
本発明によれば、コピージョブを実行する画像形成装置において、１部目の印刷か否かに応じて、圧縮された画像データを用いて画像の印刷を実行するか、圧縮されていない画像データを用いて画像の印刷を実行するかを切り替えることができる。また、コピージョブを実行する画像形成装置において、１部目の印刷か否かに応じて、印刷に用いられる画像データの圧縮率を切り替えることができる。